(57)【要約】【課題】施工体３次元モデルの管理において、文書閲覧ソフト上で３次元モデルの属性情報を検索及び追加することを可能にする。【解決手段】運営会社１３は、施工体３次元モデル管理プログラムであるＣＩＭ管理ソフト５をインストールしたコンピュータ２３を用い、３次元ＣＡＤソフト３及び属性管理ソフト４により作成したＣＩＭモデルを文書閲覧ソフト２で閲覧、編集することができるようにしたＣＩＭ−ＰＤＦ８を作成する。ＣＩＭ管理ソフト５は、コンピュータ２３に、３次元ＣＡＤソフト３及び属性管理ソフト４により作成したＣＩＭモデルを文書閲覧ソフト２上で閲覧可能な３ＤＰＤＦのフォーマットデータに変換するデータ変換処理、及び、属性情報を文書閲覧ソフト２上で編集可能にするための編集機能プログラムを付与する編集機能付与処理、を実行させる。コンピュータ２３は、ＣＩＭ管理ソフト５に基く処理を実行して、ＣＩＭ−ＰＤＦ８を作成する。【選択図】図１
2018067163.tif 000002
【特許請求の範囲】
【請求項１】
コンピュータに、
橋梁を含む施工体の３次元ＣＡＤデータの要素としての部材に属性情報を付した３次元モデルを文書閲覧ソフトで閲覧可能な３ＤＰＤＦのフォーマットデータに変換するデータ変換処理と、
前記データ変換処理により変換されたデータに、前記属性情報を文書閲覧ソフト上で編集可能にするための編集機能プログラムを付与する編集機能付与処理と、を実行させる施工体３次元モデル管理プログラムであって、
前記編集機能プログラムは、
コンピュータに、
３次元モデルの部材の属性情報を検索する検索処理と、
３次元モデルに追加の属性情報を付与して登録する登録処理と、を実行させ、
文書閲覧ソフトにより前記データ変換処理で変換されたデータを用いて３次元モデルを閲覧可能に表示するときに、３次元モデルに併せて所定の専用メニューを画面に表示させ、前記専用メニューには、部材選択ボタン、検索ボタン、属性追加ボタン、及び前記属性情報の入力欄を含み、
前記検索処理において、前記部材選択ボタンが選択され、かつ３次元モデルの部材が選択されると、部材の属性情報を表示させ、また、前記入力欄に検索条件が入力され、かつ前記検索ボタンが選択されると、前記検索条件に一致する部材をハイライト表示させる、施工体３次元モデル管理プログラム。
【請求項２】
前記編集機能プログラムは、
コンピュータに、
前記登録処理において、前記属性追加ボタンが選択されたとき、３次元モデルの部材に対する追加の属性情報として、追加される属性名と属性値を記述したＣＳＶファイルを選択する画面を表示させ、その選択画面で任意のＣＳＶファイルが選択されると、そのＣＳＶファイルに記述された属性名と属性値を、３次元モデルの部材に紐付けして登録させる、請求項１に記載の施工体３次元モデル管理プログラム。
【請求項３】
コンピュータに、
前記データ変換処理により変換されたデータに、属性情報を編集する操作方法を説明するサポートサイトにアクセスするためのアクセス機能プログラムを付与するアクセス機能付与処理をさらに実行させ、
前記アクセス機能プログラムは、
コンピュータに、
文書閲覧ソフトにより前記データ変換処理で変換されたデータを用いて３次元モデルを閲覧可能に表示するときに、３次元モデルに併せて前記サポートサイトのＵＲＬを表示させ、
前記ＵＲＬが操作されたとき、前記サポートサイトにアクセスさせる、請求項１又は請求項２に記載の施工体３次元モデル管理プログラム。
【請求項４】
コンピュータを用いて、
橋梁を含む施工体の３次元ＣＡＤデータの要素としての部材に属性情報を付した３次元モデルを文書閲覧ソフトで閲覧可能な３ＤＰＤＦのフォーマットデータに変換するデータ変換処理を行い、
前記データ変換処理により変換されたデータに、前記属性情報を文書閲覧ソフト上で編集可能にするための編集機能プログラムを付与する編集機能付与処理を行う、施工体３次元モデル管理方法であって、
前記編集機能プログラムにより、
３次元モデルの部材の属性情報を検索する検索処理を行い、
３次元モデルに追加の属性情報を付与して登録する登録処理を行い、
文書閲覧ソフトにより前記データ変換処理で変換されたデータを用いて３次元モデルを閲覧可能に表示するときに、３次元モデルに併せて所定の専用メニューを画面に表示し、前記専用メニューには、部材選択ボタン、検索ボタン、属性追加ボタン、及び前記属性情報の入力欄を含み、
前記検索処理において、前記部材選択ボタンが選択され、かつ３次元モデルの部材が選択されると、部材の属性情報が表示され、また、前記入力欄に検索条件が入力され、かつ前記検索ボタンが選択されると、前記検索条件に一致する部材がハイライト表示される、施工体３次元モデル管理方法。
【発明の詳細な説明】
【技術分野】
【０００１】
本発明は、橋梁を含む施工体の３次元モデルを文書閲覧ソフトを用いて管理するための施工体３次元モデル管理プログラム及び施工体３次元モデル管理方法に関する。
【背景技術】
【０００２】
近年、橋梁などの建設において、国土交通省によってＣＩＭ（Construction Information Modeling）の取組みが推進されている。ＣＩＭとは、設計段階から３次元モデルを導入し、その後の施工、維持管理の各段階においても３次元モデルに連携・発展させ、あわせて事業全体にわたる関係者間で情報を共有することにより、一連の建設生産システムの効率化・高度化を図るものである。具体的には、橋梁などを施工する建設メーカ（施工者）は、橋梁などの施工体の３次元モデルを３次元ＣＡＤソフトで作成し、その３次元モデルに属性管理ソフトを用いて属性情報（設計情報、施工管理記録、点検記録など）を付し、この属性情報を付した３次元モデルであるＣＩＭモデル（＝竣工図書の電子版）を地方自治体などの発注者と共有する。そして、発注者は、ＣＩＭモデル（３次元モデル及び属性情報）を３次元ＣＡＤソフト及び属性管理ソフトを用いて閲覧し、施工中の品質記録や竣工後の点検記録などの属性情報をＣＩＭモデルに追加して、３次元モデルを管理する。また、建設メーカは、設計事務所と施工事務所との間でＣＩＭモデルを共有し、施工事務所で属性情報を追加することもある。また、発注者が３次元モデルの管理を外部の管理者に委託し、管理者が属性情報をＣＩＭモデルに追加することもある。
【０００３】
一方、ＣＩＭモデルを文書閲覧ソフト上で閲覧できるようにするためのファイル変換ソフトが知られている（例えば非特許文献１、２参照）。このファイル変換ソフトを用いれば、高価な３次元ＣＡＤソフト及び属性管理ソフトを用いることなく、ＣＩＭモデルを閲覧することができる。
【先行技術文献】
【非特許文献】
【０００４】
【非特許文献１】スマートスケープ株式会社、［online］、[平成２８年１０月１７日検索]、インターネット<URL:http://www.3dpdf.jp/製品情報/prostep-3d-pdf-pro/>
【非特許文献２】ケンプラッツ、［online］、[平成２８年１０月１７日検索]、インターネット<URL:http://special.nikkeibp.co.jp/as/201501/acrobat/>
【発明の概要】
【発明が解決しようとする課題】
【０００５】
しかしながら、上述した従来のファイル変換ソフトは、ＣＩＭモデルの閲覧しかできない。具体的には、このファイル変換ソフトは、３次元モデルが表示されることに加え、３次元モデルの表示画像上で位置を選択することにより、その位置に存在する部材の属性情報が表示されるだけであり、属性情報の検索や追加をすることができない。このため、従来は、発注者側において属性情報を追加するためには、発注者側に３次元ＣＡＤソフト及び属性管理ソフトを備える必要があった。このことは、３次元ＣＡＤソフト及び属性管理ソフトが高価であるため、発注者側において費用的負担が大きい。また、建設メーカの設計事務所と施工事務所とでＣＩＭモデルを共有する場合には、設計事務所に加え、施工事務所にも３次元ＣＡＤソフト及び属性管理ソフトを備える必要があり、建設メーカにおいても費用的負担が大きい。また、発注者が３次元モデルの管理を外部の管理者に委託する場合には、管理者側にも３次元ＣＡＤソフト及び属性管理ソフトを備える必要がり、管理者においても費用的負担が大きい。
【０００６】
本発明は、上記課題を解決するものであり、文書閲覧ソフト上で３次元モデルの属性情報を検索及び追加することを可能にする施工体３次元モデル管理プログラム及び施工体３次元モデル管理方法を提供することを目的とする。
【課題を解決するための手段】
【０００７】
上記目的を達成するために本発明の施工体３次元モデル管理プログラムは、コンピュータに、橋梁を含む施工体の３次元ＣＡＤデータの要素としての部材に属性情報を付した３次元モデルを文書閲覧ソフトで閲覧可能な３ＤＰＤＦのフォーマットデータに変換するデータ変換処理と、データ変換処理により変換されたデータに、属性情報を文書閲覧ソフト上で編集可能にするための編集機能プログラムを付与する編集機能付与処理と、を実行させる施工体３次元モデル管理プログラムであって、編集機能プログラムは、コンピュータに、３次元モデルの部材の属性情報を検索する検索処理と、３次元モデルに追加の属性情報を付与して登録する登録処理と、を実行させ、文書閲覧ソフトによりデータ変換処理で変換されたデータを用いて３次元モデルを閲覧可能に表示するときに、３次元モデルに併せて所定の専用メニューを画面に表示させ、専用メニューには、部材選択ボタン、検索ボタン、属性追加ボタン、及び属性情報の入力欄を含み、検索処理において、部材選択ボタンが選択され、かつ３次元モデルの部材が選択されると、部材の属性情報を表示させ、また、入力欄に検索条件が入力され、かつ検索ボタンが選択されると、検索条件に一致する部材をハイライト表示させる、ものである。
【０００８】
本発明の施工体３次元モデル管理プログラムにおいて、編集機能プログラムは、コンピュータに、登録処理において、属性追加ボタンが選択されたとき、３次元モデルの部材に対する追加の属性情報として、追加される属性名と属性値を記述したＣＳＶファイルを選択する画面を表示させ、その選択画面で任意のＣＳＶファイルが選択されると、そのＣＳＶファイルに記述された属性名と属性値を、３次元モデルの部材に紐付けして登録させる、ことが好ましい。
【０００９】
また、本発明の施工体３次元モデル管理プログラムにおいて、コンピュータに、データ変換処理により変換されたデータに、属性情報を編集する操作方法を説明するサポートサイトにアクセスするためのアクセス機能プログラムを付与するアクセス機能付与処理をさらに実行させ、アクセス機能プログラムは、コンピュータに、文書閲覧ソフトによりデータ変換処理で変換されたデータを用いて３次元モデルを閲覧可能に表示するときに、３次元モデルに併せてサポートサイトのＵＲＬを表示させ、ＵＲＬが操作されたとき、サポートサイトにアクセスさせる、ことが好ましい。
【００１０】
また、本発明の施工体３次元モデル管理方法は、コンピュータを用いて、橋梁を含む施工体の３次元ＣＡＤデータの要素としての部材に属性情報を付した３次元モデルを文書閲覧ソフトで閲覧可能な３ＤＰＤＦのフォーマットデータに変換するデータ変換処理を行い、データ変換処理により変換されたデータに、属性情報を文書閲覧ソフト上で編集可能にするための編集機能プログラムを付与する編集機能付与処理を行う、施工体３次元モデル管理方法であって、編集機能プログラムにより、３次元モデルの部材の属性情報を検索する検索処理を行い、３次元モデルに追加の属性情報を付与して登録する登録処理を行い、文書閲覧ソフトによりデータ変換処理で変換されたデータを用いて３次元モデルを閲覧可能に表示するときに、３次元モデルに併せて所定の専用メニューを画面に表示し、専用メニューには、部材選択ボタン、検索ボタン、属性追加ボタン、及び属性情報の入力欄を含み、検索処理において、部材選択ボタンが選択され、かつ３次元モデルの部材が選択されると、部材の属性情報が表示され、また、入力欄に検索条件が入力され、かつ検索ボタンが選択されると、検索条件に一致する部材がハイライト表示される、ものである。
【発明の効果】
【００１１】
本発明によれば、文書閲覧ソフト上で、３次元モデル及び属性情報を閲覧することに加え、属性情報を検索及び追加することができる。従って、高価な３次元ＣＡＤソフト及び属性管理ソフトを用いることなく属性情報を検索及び追加することができ、費用的負担が軽減する。しかも、３次元モデルの表示に併せて専用メニューが表示され、その専用メニューを用いて容易に属性情報を検索及び追加することができるので、作業性が良い。
【図面の簡単な説明】
【００１２】
【図１】本発明の一実施形態に係るＣＩＭ管理システムの構成図。
【図２】同システムのＣＩＭ管理ソフトの概念図。
【図３】同ＣＩＭ−ＰＤＦを作成する際に用いる専用テンプレートを文書閲覧ソフト上で表示させたときの専用テンプレート画面を示す図。
【図４】同システムの運営会社においてＣＩＭ−ＰＤＦを作成するときのフローチャート。
【図５】同ＣＩＭ−ＰＤＦ作成時における専用テンプレートを指定する際の表示画面例を示す図。
【図６】同システムの発注者においてＣＩＭ−ＰＤＦを閲覧、編集するときのフローチャート。
【図７】同ＣＩＭ−ＰＤＦの閲覧、編集を開始する時の表示画面例を示す図。
【図８】同ＣＩＭ−ＰＤＦの属性情報の閲覧、編集を行うときのフローチャート。
【図９】属性情報のモデルアプローチにおける属性情報の閲覧時の表示画面例を示す図。
【図１０】属性情報のモデルアプローチにおける外部参照ファイルの閲覧時の表示画面例を示す図。
【図１１】属性情報の検索アプローチにおける属性情報の閲覧時の表示画面例を示す図。
【図１２】属性追加アプローチにおける属性情報を記述したＣＳＶファイルの選択時の表示画面例を示す図。
【発明を実施するための形態】
【００１３】
以下、本発明を具体化した実施形態による施工体３次元モデル管理プログラム及び施工体３次元モデル管理方法について図面を参照して説明する。
＜システムの構成及び概要＞
図１は、施工体３次元モデル管理プログラムを用いたＣＩＭ管理システムの全体構成を示す。ＣＩＭ管理システム１は、橋梁を含む施工体のＣＩＭモデル（施工体の３次元モデルに設計情報、施工管理記録、点検記録などの属性情報を付与したもの＝竣工図書の電子版）を汎用の文書閲覧ソフト２を用いて管理するシステムである。このＣＩＭ管理システム１は、文書閲覧ソフト２上で、ＣＩＭモデルの３次元モデル及び属性情報を閲覧することに加え、属性情報を検索及び追加を含む編集をすることができるシステムである。
【００１４】
ＣＩＭ管理システム１は、橋梁を含む施工体の建設を発注し、建設された施工体の管理、維持を行う発注者／管理者１１（以下、発注者１１と記す）、橋梁を含む施工体を建設する橋梁メーカ１２、及びＣＩＭ管理システムを運営する運営会社１３によって構成される。橋梁メーカ１２は、施工体の設計を行う設計事務所１５と、施工体の施工を行う施工事務所１６とを有する。なお、発注者１１が施工体の管理、維持を外部の管理者に委託する場合もあるが、本実施形態では、発注者が施工体の管理、維持を行うものとする。発注者１１は、コンピュータ２１を所有している。橋梁メーカ１２の設計事務所１５はコンピュータ２５を所有し、施工事務所１６は、コンピュータ２６を所有している。運営会社１３は、コンピュータ２３を所有している。
【００１５】
発注者１１の所有するコンピュータ２１は、作業者により操作される入力装置２１ａ（キーボード、マウス等）と、画像を表示するためのディスプレイ２１ｂと、コンピュータ２１の実行するプログラムを格納したメモリ２１ｃとを備える。コンピュータ２１は、汎用の文書閲覧ソフト２及びＯＳソフト（図示略）をメモリ２１ｃに格納しており、それらがインストールされている。コンピュータ２１は、入力装置２１ａの操作に基いて、ＯＳソフトのもと、文書閲覧ソフト２を実行して、各種処理を実行する。
【００１６】
橋梁メーカ１２の本社事務所１５の所有するコンピュータ２５は、作業者により操作される入力装置２５ａと、画像を表示するためのディスプレイ２５ｂと、コンピュータ２５の実行するプログラムを格納したメモリ２５ｃとを備える。コンピュータ２５は、汎用の３次元ＣＡＤソフト３、属性管理ソフト４、及びＯＳソフト（図示略）をメモリ２５ｃに格納しており、それらがインストールされている。コンピュータ２５は、入力装置２５ａの操作に基いて、ＯＳソフトのもと、３次元ＣＡＤソフト３及び属性管理ソフト４を実行して、各種処理を実行する。
【００１７】
橋梁メーカ１２の施工事務所１６の所有するコンピュータ２６は、作業者により操作される入力装置２６ａと、画像を表示するためのディスプレイ２６ｂと、コンピュータ２６の実行するプログラムを格納したメモリ２６ｃとを備える。コンピュータ２６は、汎用の文書閲覧ソフト２及びＯＳソフト（図示略）をメモリ２６ｃに格納しており、それらがインストールされている。コンピュータ２６は、入力装置２６ａの操作に基いて、ＯＳソフトのもと、文書閲覧ソフト２を実行して、各種処理を実行する。
【００１８】
運営会社１３の所有するコンピュータ２３は、作業者により操作される入力装置２３ａと、画像を表示するためのディスプレイ２３ｂと、コンピュータ２３の実行するプログラムを格納したメモリ２３ｃとを備える。コンピュータ２３は、汎用の３次元ＣＡＤソフト３、属性管理ソフト４、及びＯＳソフト（図示略）と、施工体３次元モデル管理プログラムであるＣＩＭ管理ソフト５をメモリ２３ｃに格納しており、それらがインストールされている。コンピュータ２３は、入力装置２３ａの操作に基いて、ＯＳソフトのもと、３次元ＣＡＤソフト３、属性管理ソフト４、及びＣＩＭ管理ソフト５を実行して、各種処理を実行する。本実施形態では、文書閲覧ソフト２は、例えばＡｃｒｏｂａｔ  ＤＣ（登録商標）を用い、３次元ＣＡＤソフト３は、例えばＮａｖｉｓｗｏｒｋｓ（登録商標）を用い、属性管理ソフト４は、例えばＮａｖｉｓ＋（登録商標）を用い、ＯＳソフトは、例えばＷｉｎｄｏｗｓ（登録商標）を用いている。
【００１９】
ＣＩＭ管理システム１において、橋梁メーカ１２の設計事務所１５は、コンピュータ２５を用いて、橋梁を含む施工体のＣＩＭモデルを３次元ＣＡＤソフト３及び属性管理ソフト４により作成し、橋梁メーカ１２の施工事務所１６、及び発注者１１は、コンピュータ２６、２１を用いて、そのＣＩＭモデルを文書閲覧ソフト２で閲覧、編集して管理する。
【００２０】
より具体的には、発注者１１は、橋梁メーカ１２に施工体の建設を発注し、設計事務所１５は、発注者１１からの発注を受けて、施工体を設計する。このとき、設計事務所１５は、コンピュータ２５を用いて、３次元ＣＡＤソフト３により、施工体の３次元モデルを作成し、属性管理ソフト４により、その３次元モデルの３次元ＣＡＤデータの要素としての部材に属性情報を付す。つまり、３次元モデルの各部材に属性情報を紐付けして登録する。これにより、施工体の３次元モデルに属性情報を付与したＣＩＭモデルが作成される。属性情報は、例えば、部材の名前、製品番号、板厚、材質、塗装の種類、開始日、終了日などの設計情報や、品質、出来形資料、写真などの施工管理記録、点検日や点検内容を記した点検記録などである。橋梁メーカ１２は、３次元ＣＡＤソフト３及び属性管理ソフト４により作成したＣＩＭモデルのデータファイルであるＣＩＭ原ファイル７を運営会社１３に渡して、文書閲覧ソフト２で閲覧、編集することが可能なデータファイルであるＣＩＭ−ＰＤＦ８への変換を依頼する。
【００２１】
運営会社１３は、コンピュータ２３を用いて、ＣＩＭ管理ソフト５により、設計事務所１５から受取ったＣＩＭ原ファイル７を文書閲覧ソフト２で閲覧、編集することが可能なデータファイルに変換して、そのデータファイルであるＣＩＭ−ＰＤＦ８を作成する。なお、ＣＩＭ−ＰＤＦ８は、文書閲覧ソフト２で閲覧、編集することが可能であることに加え、属性管理ソフト４上でも閲覧、編集することが可能なデータファイルである。運営会社１３は、作成したＣＩＭ−ＰＤＦ８を橋梁メーカ１２に渡す。
【００２２】
橋梁メーカ１２の設計事務所１５は、コンピュータ２５を用いて、運営会社１３から受取ったＣＩＭ−ＰＤＦ８によるＣＩＭモデルを属性管理ソフト４上で閲覧し、必要に応じて、属性管理ソフト４上で属性情報を追加し、ＣＩＭ−ＰＤＦ８を施工事務所１６に渡す。施工事務所１６は、コンピュータ２６を用いて、設計事務所１５から受取ったＣＩＭ−ＰＤＦ８によるＣＩＭモデルを文書閲覧ソフト２上で閲覧し、施工の進行に応じて、文書閲覧ソフト２上で属性情報を追加し、ＣＩＭ−ＰＤＦ８を設計事務所１５に渡す。設計事務所１５は、コンピュータ２５を用いて、施工事務所１６から受取ったＣＩＭ−ＰＤＦ８によるＣＩＭモデルを属性管理ソフト４上で閲覧し、必要に応じて、属性管理ソフト４上で属性情報を追加する。橋梁メーカ１２は、施工が完了すると、ＣＩＭ−ＰＤＦ８を発注者１１に渡す。
【００２３】
発注者１１は、コンピュータ２１を用いて、橋梁メーカ１２から受取ったＣＩＭ−ＰＤＦ８によるＣＩＭモデルを文書閲覧ソフト２上で閲覧し、施工体の定期的な点検などに応じて、文書閲覧ソフト２上で属性情報（竣工後の日常点検の点検記録や補修記録など）を追加する。なお、運営会社１３及び橋梁メーカ１２間のＣＩＭ原ファイル７の受け渡しは、例えばＣＩＭ原ファイル７を記録したＣＤを受け渡す形態で行われ、運営会社１３、橋梁メーカ１２、及び発注者１１間のＣＩＭ−ＰＤＦ８の受け渡しは、例えばＣＩＭ−ＰＤＦ８を記録したＣＤを受け渡す形態で行われる。また、橋梁メーカ１２の設計事務所１５及び施工事務所１６間のＣＩＭ−ＰＤＦ８の受渡しは、例えばＣＩＭ−ＰＤＦ８を記録したＵＳＢメモリを受け渡す形態で行われる。
【００２４】
また、ＣＩＭ管理システム１において、運営会社１３は、発注者１１及び橋梁メーカ１２向けに、ＣＩＭ−ＰＤＦ８の使用に関するサポートを行うサポートサイト１９をインターネット上で運営する。サポートサイト１９では、ＣＩＭ−ＰＤＦ８を使用してＣＩＭモデルを閲覧、編集するための操作方法などの説明を行う。運営会社１３は、インターネット経由でサポートサイト１９を随時更新する。発注者１１及び橋梁メーカ１２は、インターネット経由でサポートサイト１９にアクセスして、サポートサイト１９の説明を閲覧することにより、ＣＩＭ−ＰＤＦ８を使用してＣＩＭモデルを閲覧、編集するための操作方法を確認する。
【００２５】
＜ＣＩＭ管理ソフト＞
図２は、ＣＩＭ管理ソフト５の概念図を示す。ＣＩＭ管理ソフト５は、ＣＩＭモデルを文書閲覧ソフト２を用いて管理するためのプログラムであり、３次元ＣＡＤソフト３及び属性管理ソフト４により作成したＣＩＭモデル（属性情報を付した３次元モデル）を文書閲覧ソフト２上で閲覧可能にすると共に、属性情報を文書閲覧ソフト２上で検索及び追加を含む編集可能にするためのプログラムである。
【００２６】
ＣＩＭ管理ソフト５は、コンピュータ２３に、３次元ＣＡＤソフト３及び属性管理ソフト４により作成されたＣＩＭモデルを、文書閲覧ソフト２上で閲覧可能な３ＤＰＤＦのフォーマットデータに変換するデータ変換処理を実行させる。このとき、ＣＩＭ管理ソフト５は、ＣＩＭ管理ソフト５専用のＰＤＦテンプレートファイルであるＣＩＭ−ＰＤＦテンプレート９（以下、専用テンプレート９と記す）を用いてデータ変換処理を実行させる。専用テンプレート９は、３ＤＰＤＦのフォーマットデータを文書閲覧ソフト２上で表示させるときのＣＩＭ管理ソフト５専用のフォーマット（ひな型）ファイルである。また、専用テンプレート９は、属性情報を文書閲覧ソフト２上で編集可能にするためのJAVASCRIPT言語で記述された編集機能プログラム付き、及び文書閲覧ソフト２上からサポートサイト１９にアクセスするためのアクセス機能プログラム付きのファイルである。従って、ＣＩＭ管理ソフト５は、コンピュータ２３に、専用テンプレート９を用いてデータ変換処理を実行させることにより、データ変換処理に加え、編集機能プログラムを付与する編集機能付与処理、及び、アクセス機能プログラムを付与するアクセス機能付与処理、を実行させる。また、ＣＩＭ管理ソフト５は、データ変換処理において、コンピュータ２３に、３次元モデルの各部材への属性情報の紐付けを、属性管理ソフト４によりなされた紐付けにそのまま維持させる。コンピュータ２３は、ＣＩＭ管理ソフト５に基くこれらの処理を実行することにより、ＣＩＭ−ＰＤＦ８を作成する。
【００２７】
＜ＣＩＭ−ＰＤＦ＞
ＣＩＭ−ＰＤＦ８は、ＣＩＭ管理ソフト５のデータ変換処理により作成された３ＤＰＤＦデータ８ａと、ＣＩＭ管理ソフト５の編集機能付与処理により付与された編集機能プログラム８ｂと、ＣＩＭ管理ソフト５のアクセス機能付与処理により付与されたアクセス機能プログラム８ｃと、を含んでいる。３ＤＰＤＦデータ８ａは、専用テンプレート９による専用テンプレート画面のデータと、３次元モデルのデータと、３次元モデルの各部材に付された（紐付けされた）属性情報のデータと、を含んでいる。３次元モデルの各部材への属性情報の紐付けは、属性管理ソフト４によりなされた紐付けと同じである。
【００２８】
ＣＩＭ−ＰＤＦ８は、３ＤＰＤＦデータ８ａによって、３次元ＣＡＤソフト３及び属性管理ソフト４により作成したＣＩＭモデルを文書閲覧ソフト２上で閲覧することができ、また、編集機能プログラム８ｂによって、そのＣＩＭモデルの属性情報を文書閲覧ソフト２上で編集することができる。つまり、ＣＩＭ−ＰＤＦ８は、３次元ＣＡＤソフト３及び属性管理ソフト４により作成したＣＩＭモデルを文書閲覧ソフト２上で閲覧できると共に、ＣＩＭモデルの属性情報を文書閲覧ソフト２上で編集できる編集機能付きのＰＤＦファイルである。また、ＣＩＭ−ＰＤＦ８は、アクセス機能プログラム８ｃによって、文書閲覧ソフト２上からサポートサイト１９にアクセスすることができる。
【００２９】
＜ＣＩＭ−ＰＤＦテンプレート＞
図３は、専用テンプレート９を文書閲覧ソフト２上で開いたときの表示画面である専用テンプレート画面を示す。専用テンプレート画面３０は、ＣＩＭ−ＰＤＦ８によるＣＩＭモデルを文書閲覧ソフト２上で表示させるときの専用フォーマット画面であり、ＣＩＭモデルを表示するための領域であるＣＩＭモデル表示領域３１と、ＣＩＭモデルの属性情報を編集するためのＣＩＭ−ＰＤＦ８専用のメニューであるＣＩＭ−ＰＤＦメニュー３２（以下、専用メニュー３２と記す）と、サポートサイト１９のＵＲＬを表記したＵＲＬ表記３３とを有する。従って、専用テンプレート９を用いて作成したＣＩＭ−ＰＤＦ８を文書閲覧ソフト２上で開くと、文書閲覧ソフト２の表示画面５０上に、専用テンプレート画面３０、すなわち、ＣＩＭモデル表示領域３１、専用メニュー３２、及びＵＲＬ表記３３が表示され、そして、ＣＩＭモデル表示領域３１に、３次元モデル及び属性情報が表示されることになる。専用テンプレート画面３０を表示させるためのデータは、３ＤＰＤＦデータ８ａに含まれている。
【００３０】
専用メニュー３２は、３次元モデルの部材を選択するための部材選択ボタン４１と、３次元モデルの部材の属性情報を入力するための入力欄４２ａ〜４２ｄと、属性情報による検索を実行するための検索ボタン４３ａ、４３ｂと、検索種別を指定するための指定欄４４ａ、４４ｂと、属性情報を追加するための属性追加ボタン４５とを含んでいる。また、専用メニュー３２は、３次元モデルをアニメーション再生するためのアニメーション再生ボタン４６と、ＣＩＭ−ＰＤＦ８のデータ名を表示するデータ名表示部４７と、ＣＩＭ−ＰＤＦ８の作成日を表示する作成日表示部４８とを含んでいる。
【００３１】
部材選択ボタン４１、入力欄４２ａ〜４２ｄ、検索ボタン４３ａ、４３ｂ、指定欄４４ａ、４４ｂ、属性追加ボタン４５、アニメーション再生ボタン４６は、編集機能プログラム８ｂに関連付けられている。文書閲覧ソフト２の表示画面５０上でこれら部材選択ボタン４１、入力欄４２ａ〜４２ｄ、検索ボタン４３ａ、４３ｂ、指定欄４４ａ、４４ｂ、属性追加ボタン４５、アニメーション再生ボタン４６を操作すると、編集機能プログラム８ｂによって、その操作に対応する処理が実行される。ＵＲＬ表記３３は、アクセス機能プログラム８ｃに関連付けられている。アクセス機能プログラム８ｃは、サポートサイト１９へアクセスするためのリンク（ＵＲＬを組み込んだテキスト）をＵＲＬ表記３３に対応付けて３ＤＰＤＦデータ８ａ内に埋め込んだものである。文書閲覧ソフト２の表示画面５０上でＵＲＬ表記３３を操作すると、アクセス機能プログラム８ｃによって、サポートサイト１９にアクセスする処理が行われる。
【００３２】
＜ＣＩＭ−ＰＤＦ作成動作フロー＞
図４は、運営会社１３におけるＣＩＭ−ＰＤＦ８の作成動作のフローチャートを示す。ＣＩＭ−ＰＤＦ８の作成は、以下のようにして行われる。まず、作業者は、橋梁メーカ１２から受取ったＣＩＭ原ファイル７をコンピュータ２３に読込み（＃１）、３次元ＣＡＤソフト３及び属性管理ソフト４を起動する（＃２）。続いて、作業者は、コンピュータ２３の入力装置２３ａを操作して、属性管理ソフト４上でＣＩＭ原ファイル７を開く（＃３）。そして、作業者は、入力装置２３ａを操作して、属性管理ソフト４上で、ＣＩＭ管理ソフト５の専用テンプレート９を指定して、３ＤＰＤＦ変換を指示する（＃４）。
【００３３】
このときのコンピュータ２３のディスプレイ２３ｂの表示画面を図５に示す。ディスプレイ２３ｂに属性管理ソフト４の表示画面６０が表示され、その表示画面６０上に、＃１で読込んだＣＩＭ原ファイル７による３次元モデル６１、及び３ＤＰＤＦ変換を指示するための変換ボタン６２が表示されている。入力装置２３ａを操作して変換ボタン６２をクリックすることにより、３ＤＰＤＦ変換に用いるテンプレートＰＤＦを指定するためのテンプレート指定画面６３が表示され、このテンプレート指定画面６３内のファイル名入力欄６４に、入力装置２３ａを操作して専用テンプレート９のファイル名（例えば「ＣＩＭ−ＰＤＦテンプレート」）を入力する。このようにして、専用テンプレート９を指定しての３ＤＰＤＦ変換の指示がなされる。
【００３４】
これにより、ＣＩＭ−ＰＤＦ８が作成される（＃４）。つまり、コンピュータ２３は、属性管理ソフト４上で専用テンプレート９を指定しての３ＤＰＤＦ変換の指示がなされると、＃１で読込んだＣＩＭ原ファイル７に対して、ＣＩＭ管理ソフト５によるデータ変換処理、編集機能付与処理、及び、アクセス機能付与処理を実行して、ＣＩＭ−ＰＤＦ８を作成する。作業者は、＃４で作成されたＣＩＭ−ＰＤＦ８を橋梁メーカ１２に納品する。この納品は、例えば、ＣＩＭ−ＰＤＦ８をＣＤに記録して、そのＣＤを納品するといった電子納品の形態で行われる。
【００３５】
＜ＣＩＭ−ＰＤＦ閲覧、編集動作フロー＞
図６は、発注者１１におけるＣＩＭ−ＰＤＦ８の閲覧、編集動作のフローチャートを示す。なお、橋梁メーカ１２の施工事務所１６におけるＣＩＭ−ＰＤＦ８の閲覧、編集は、コンピュータ２１をコンピュータ２６に置換えて同様である。ＣＩＭ−ＰＤＦ８の閲覧は、以下のようにして行われる。まず、作業者は、ＣＩＭ−ＰＤＦ８をコンピュータ２１に読込む（＃１１）。続いて、作業者は、コンピュータ２１の入力装置２１ａを操作して、文書閲覧ソフト２を起動し（＃１２）、文書閲覧ソフト２上でＣＩＭ−ＰＤＦ８を開く（＃１３）。これにより、コンピュータ２１のディスプレイ２１ｂに、＃１１で読込んだＣＩＭ−ＰＤＦ８による３次元モデルが表示される（＃１４）。また、この３次元モデルの表示に併せて、ＣＩＭ−ＰＤＦ８の専用メニュー３２及びサポートサイト１９のＵＲＬ表記３３が表示される（＃１５）。
【００３６】
このときのコンピュータ２１のディスプレイ２１ｂの表示画面を図７に示す。ディスプレイ２１ｂに文書閲覧ソフト２の表示画面５０が表示され、文書閲覧ソフト２の表示画面５０上に文書閲覧ソフト２の標準メニュー５１とＣＩＭ−ＰＤＦ８の専用テンプレート画面３０すなわちＣＩＭモデル表示領域３１、専用メニュー３２、及びＵＲＬ表記３３が表示される。そして、ＣＩＭモデル表示領域３１内にＣＩＭ−ＰＤＦ８による３次元モデル８１が表示される。つまり、コンピュータ２１は、文書閲覧ソフト２を起動する操作がなされると、文書閲覧ソフト２に基く処理を実行し、ディスプレイ２１ｂに文書閲覧ソフト２の表示画面５０を表示して、その表示画面５０上に文書閲覧ソフト２の標準メニュー５１を表示する。また、コンピュータ２１は、文書閲覧ソフト２上でＣＩＭ−ＰＤＦ８を開く操作がなされると、文書閲覧ソフト２に基く処理を実行し、ＣＩＭ−ＰＤＦ８の３ＤＰＤＦデータ８ａを用いて、表示画面５０上にＣＩＭモデル表示領域３１、専用メニュー３２、及びＵＲＬ表記３３を表示し、ＣＩＭモデル表示領域３１上に３次元モデル８１を表示する。
【００３７】
専用メニュー３２上には、部材選択ボタン４１、入力欄４２ａ〜４２ｄ、検索ボタン４３ａ、４３ｂ、指定欄４４ａ、４４ｂ、及び属性追加ボタン４５が表示される。部材選択ボタン４１は、３次元モデルの部材を選択するためのボタンである。入力欄４２ａは、部材の属性情報として、部材の板厚を入力するための欄であり、入力欄４２ｂは、部材の属性情報として、部材の材質を入力するための欄である。入力欄４２ｃは、部材の属性情報として、部材の属性名を入力するための欄であり、入力欄４２ｄは、部材の属性情報として、部材の属性値を入力するための欄である。検索ボタン４３ａは、入力欄４２ａ、４２ｂに入力された属性情報による検索を実行するためのボタンであり、検索ボタン４３ｂは、入力欄４２ｃ、４２ｄに入力された属性情報による検索を実行するためのボタンである。指定欄４４ａは、入力欄４２ｃ、４２ｄに入力した属性情報に完全一致する条件で検索することを指定するための欄であり、指定欄４４ｂは、入力欄４２ｃ、４２ｄに入力した属性情報に部分一致する条件で検索することを指定するための欄である。また、専用メニュー３２上には、アニメーション再生ボタン４６、データ名表示部４７、及び作成日表示部４８も表示される。
【００３８】
作業者は、コンピュータ２１の入力装置２１ａを操作して、表示画面５０上で専用メニュー３２を操作し、＃１４で表示された３次元モデル８１の部材の属性情報を閲覧、編集する（＃１６）。つまり、コンピュータ２１は、専用メニュー３２の部材選択ボタン４１、入力欄４２ａ〜４２ｄ、検索ボタン４３ａ、４３ｂ、指定欄４４ａ、４４ｂ、及び属性追加ボタン４５の操作に応じて、文書閲覧ソフト２に基く処理に加え、ＣＩＭ−ＰＤＦ８の編集機能プログラム８ｂに基く処理を実行し、ＣＩＭ−ＰＤＦ８の３ＤＰＤＦデータ８ａを用いて、属性情報を閲覧可能に表示、編集する動作を実行する。
【００３９】
また、作業者は、ＣＩＭモデルを閲覧、編集するための操作方法を確認する場合には、入力装置２１ａを操作して、表示画面５０上でＵＲＬ表記３３をクリックする（＃１７）。これにより、インターネット経由でサポートサイト１９にアクセスして、サポートサイト１９での操作方法説明画面がディスプレイ２１ｂに表示される（＃１８）。操作方法説明画面は、文書閲覧ソフト２の表示画面５０とは別の表示画面によって表示される。つまり、コンピュータ２１は、ＵＲＬ表記３３がクリックされると、ＣＩＭ−ＰＤＦ８のアクセス機能プログラム８ｃに基く処理を実行し、インターネット経由でサポートサイト１９にアクセスして、サポートサイト１９での操作方法説明画面をディスプレイ２１ｂに表示する。
【００４０】
図８は、上記＃１６の詳細動作のフローチャートを示す。まず、作業者は、アプローチする方法を決定する（＃４１）。アプローチする方法には、属性情報を閲覧したい部材を作業者が特定できている場合に行うモデルアプローチと、属性情報を閲覧したい部材を検索機能によって探し出す場合に行う検索アプローチと、属性情報を追加及び変更する場合に行う属性追加アプローチの、３つの方法がある。
【００４１】
モデルアプローチを行う場合（＃４２）、作業者は、コンピュータ２１の入力装置２１ａを操作して、専用メニュー３２の部材選択ボタン４１をクリックし（＃４３）、これに続いて、入力装置２１ａを操作して、３次元モデル８１上の調べたい部材が表示画面５０上で見えるように画面表示する（＃４４）。なお、調べたい部材が既に表示画面５０上で見えている場合には、＃４４は不要である。続いて、作業者は、入力装置２１ａを操作して、３次元モデル８１の調べたい部材をクリックする（＃４５）。これにより、クリックされた部材の属性情報、すなわち、調べたい部材の属性情報が表示される（＃４６）。つまり、コンピュータ２１は、部材選択ボタン４１がクリックされ、これに続いて、３次元モデル８１の部材がクリックされると、クリックされた部材の属性情報を表示する。属性情報は、クリックされた部材の近くに表示される。なお、クリックされた部材と属性情報との対応を分かり易くするために、クリックされた部材をハイライト表示してもよい。
【００４２】
このときのディスプレイ２１ｂの表示画面を図９に示す。文書閲覧ソフト２の表示画面５０上のＣＩＭモデル表示領域３１内に、３次元モデル８１に加え、属性情報８２が表示されている。図示の例は、３次元モデル８１の部材８１ａがクリックされた場合のものであり、属性情報８２は、部材８１ａに付されている属性情報である。図示の例では、属性情報８２は、複数の属性情報８２ａ〜８２ｉを含んでいる。属性情報８２ａは、材質を示す情報であり、属性情報８２ｂは、板厚を示す情報であり、属性情報８２ｃは、製品番号である。また、属性情報８２ｄは、ミルシートについて記載した外部参照ファイルであり、属性情報８２ｅは、塗料シートについて記載した外部参照ファイルであり、属性情報８２ｆは、設計図面を記載した外部参照ファイルであり、属性情報８２ｇは、仮組検査の検査結果を記載した外部参照ファイルであり、属性情報８２ｈは、膜厚シートについて記載した外部参照ファイルである。また、属性情報８２ｉは、名前である。
【００４３】
ここで、表示されている属性情報８２の中に外部参照ファイルがある場合（＃４７でＹＥＳ）、作業者が入力装置２１ａを操作して、表示されている属性情報８２の中から外部参照ファイルをクリックすると（＃４８）、その外部参照ファイルが開く（＃４９）。つまり、コンピュータ２１は、表示されている属性情報８２の中の外部参照ファイル（図示の例では、属性情報８２ｄ〜８２ｈのいずれか）がクリックされると、その外部参照ファイルを開いて、外部参照ファイルのコンテンツを表示する。
【００４４】
このときのディスプレイ２１ｂの表示画面を図１０に示す。文書閲覧ソフト２の表示画面５０とは別に、外部参照ファイル表示画面９０が表示され、外部参照ファイル表示画面９０に外部参照ファイルのコンテンツが表示される。図示の例は、設計図面を記載した外部参照ファイル（属性情報８２ｆ）がクリックされた場合のものであり、外部参照ファイル表示画面９０に設計図面が表示されている。外部参照ファイル表示画面９０は、入力装置２１ａを操作して、移動することができる。
【００４５】
また、検索アプローチを行う場合（＃５０）、作業者は、コンピュータ２１の入力装置２１ａを操作して、専用メニュー３２の入力欄４２ａ〜４２ｄに属性情報を入力し、指定欄４４ａ、４４ｂをクリックすることにより、属性情報の検索条件を設定し（＃５１）、これに続いて、入力装置２１ａを操作して、検索ボタン４３ａ、４３ｂをクリックする（＃５２）。これにより、検索が行われ、検索条件に一致する部材がハイライト表示される（＃５３）。つまり、コンピュータ２１は、入力欄４２ａ〜４２ｄ及び指定欄４４ａ、４４ｂを用いて検索条件が設定され、検索ボタン４３ａ、４３ｂがクリックされると、検索条件に一致する部材をハイライト表示する。検索条件に一致する部材が複数ある場合には、それら複数の部材をハイライト表示する。
【００４６】
上記＃５１での検索条件の設定は、（１）専用メニュー３２の入力欄４２ａ、４２ｂに属性情報を入力するか、又は、（２）入力欄４２ｃ、４２ｄに属性情報を入力しかつ指定欄４４ａ、４４ｂのいずれかをクリックする、ことにより行われる。（１）の場合には、＃５２で検索ボタン４３ａをクリックし、（２）の場合には、＃５２で検索ボタン４３ｂをクリックする。すなわち、入力欄４２ａに板厚を入力して検索ボタン４３ａをクリックすると、その板厚の付された部材が検索され、入力欄４２ｂに材質を入力して検索ボタン４３ａをクリックすると、その材質の付された部材が検索される。入力欄４２ａと入力欄４２ｂの両方に入力した場合には、板厚と材質のアンド条件で検索される。また、入力欄４２ｃに属性名（「製品番号」「塗装」「備考」等の文字列）を入力して、検索ボタン４３ｂをクリックすると、その属性名の付された部材が検索され、入力欄４２ｄに属性値（「図面」「写真」「文書」等の文字列）を入力して、検索ボタン４３ｂをクリックすると、その属性値の付された部材が検索される。このとき、指定欄４４ａが指定されていれば、入力欄４２ｃ、４２ｄに入力された属性名、属性値と完全一致する条件で検索され、指定欄４４ｂが指定されていれば、入力欄４２ｃ、４２ｄに入力された属性名、属性値と部分一致する条件で検索される。入力欄４２ｃと入力欄４２ｄの両方に入力した場合には、属性名と属性値のアンド条件で検索される。なお、入力欄４２ａ〜４２ｄをクリックすると、３次元モデル８１の各部材に既に付されている板厚、材質、属性名、属性値がリスト形式で表示され、そこに表示されている板厚、材質、属性名、属性値をクリックすることにより、入力欄４２ａ〜４２ｄに板厚、材質、属性名、属性値を入力することができる。また、入力欄４２ａ〜４２ｄに数字及び文字を打ち込んで板厚、材質、属性名、属性値を入力することもできる。
【００４７】
続いて、作業者は、入力装置２１ａを操作して、３次元モデル８１上の調べたい部材、すなわち、＃５３でハイライト表示された部材をクリックする（＃４５）。これにより、モデルアプローチの場合と同様に、クリックされた部材の属性情報、すなわち、調べたい部材の属性情報が表示される（＃４６）。
【００４８】
このときのディスプレイ２１ｂの表示画面を図１１に示す。文書閲覧ソフト２の表示画面５０上のＣＩＭモデル表示領域３１内に、３次元モデル８１が表示されており、３次元モデル８１の部材８１ｂと部材８１ｃがハイライト表示されている。図示の例は、検索条件に一致した部材が部材８１ｂと部材８１ｃの２つであった場合のものであり、検索条件に一致した２つの部材８１ｂと部材８１ｃがハイライト表示されている。また、図示の例は、部材８１ｃがクリックされた場合のものであり、属性情報８２は、部材８１ｃに付されている属性情報である。以降は、モデルアプローチの場合と同様である。
【００４９】
また、属性追加アプローチを行う場合（＃５４）、作業者は、コンピュータ２１の入力装置２１ａを操作して、専用メニュー３２の属性追加ボタン４５をクリックする（＃５５）。これにより、追加する属性情報を記述したＣＳＶ（Comma Separated Value）ファイルを選択するためのファイル選択画面が表示される（＃５６）。なお、属性情報を記述したＣＳＶファイルは、追加する属性情報を３次元モデル８１の部材と対応付けて記述したものであり、作業者が事前に作成して、コンピュータ２１のメモリ２１ｃに保存しておく。ＣＳＶファイルに記述しておく属性情報は、例えば、部材の名前、製品番号、板厚、材質、塗装の種類などの設計情報や、外部参照ファイルなどであり、外部参照ファイルは、例えば、品質、出来形資料、設計図面、写真などの画像ファイルや、点検記録、補修記録などの文書ファイルである。複数の属性情報を追加する場合には、複数の属性情報のそれぞれを３次元モデル８１の部材と対応付けて記述しておく。＃５６に続いて、作業者は、入力装置２１ａを操作して、ファイル選択画面の中から、属性情報を記述したＣＳＶファイルを選択する（＃５７）。
【００５０】
このときのディスプレイ２１ｂの表示画面を図１２に示す。属性追加ボタン４５をクリックすると、文書閲覧ソフト２の表示画面５０とは別に、ファイル選択画面９６が表示される。図示の例では、ファイル選択画面９６に３つのＣＳＶファイル９７ａ、９７ｂ、９７ｃが表示されおり、これらのうち、ＣＳＶファイル９７ｂが属性情報を記述したものである。ファイル選択画面９６は、入力装置２１ａを操作して、移動することができる。ファイル選択画面９６の中からＣＳＶファイル９７ａ、９７ｂ、９７ｃのいずれかをクリックすると、専用メニュー３２上に、クリックしたファイルのファイル名４９ａとＯＫボタン４９ｂが表示される。図示の例では、属性情報を記述したＣＳＶファイル９７ｂがクリックされ、ファイル名４９ａとして、属性情報を記述したＣＳＶファイル９７ｂのファイル名「サンプル橋_属性追加_160910.csv」が表示されている。つまり、コンピュータ２１は、属性追加ボタン４５がクリックされると、メモリ２１ｃに保存されているＣＳＶファイルをリスト形式でファイル選択画面９６として表示し、ファイル選択画面９６の中からファイルがクリックされると、専用メニュー３２上に、クリックされたファイルのファイル名４９ａと、ＯＫボタン４９ｂを表示する。ここで、作業者がＯＫボタン４９ｂをクリックすることにより、ファイル選択画面９６の中から属性情報を記述したＣＳＶファイルが選択される。
【００５１】
これにより、ＣＳＶファイルに記述された属性情報が追加（登録）される（＃５８）。つまり、コンピュータ２１は、ファイル選択画面９６の中から属性情報を記述したＣＳＶファイルが選択されると、選択されたＣＳＶファイルに記述された属性情報を３次元モデルの対応する部材に紐付けして登録する。このとき、コンピュータ２１は、属性管理ソフト４において属性情報を登録するのと同じフォーマットで属性情報を登録する。また、属性記述ファイルに複数の属性情報が記述されている場合には、それら複数の属性情報を一括して対応する部材に紐付けして登録する。属性情報の閲覧、編集を継続して繰り返す場合（＃５０でＹＥＳ）、＃４１以降を繰り返す。
【００５２】
本実施形態によれば、文書閲覧ソフト２上で、３次元モデル及び属性情報を閲覧することに加え、属性情報を検索及び追加することができる。従って、高価な３次元ＣＡＤソフト３及び属性管理ソフト４を用いることなく属性情報を検索及び追加することができ、費用的負担が軽減する。しかも、３次元モデルの表示に併せて専用メニュー３２が表示され、その専用メニュー３２を用いて容易に属性情報を検索及び追加することができるので、作業性が良い。また、専用メニュー３２と一緒にＵＲＬ表記３３も表示され、そのＵＲＬ表記３３をクリックすることにより、サポートサイト１９にアクセスされて操作方法説明画面が表示されるので、属性情報を検索及び追加するための操作方法を容易に確認することができる。また、複数の属性情報を追加する場合、追加する複数の属性情報を１つのＣＳＶファイルに記述しておくことにより、それら複数の属性情報を一括して追加することができるので、作業性が良い。
【００５３】
なお、本発明は、上記実施形態の構成に限られず、種々の変形が可能である。例えば、橋梁メーカ１２から運営会社１３へのＣＩＭ原ファイル７の受け渡し、及び、運営会社１３、橋梁メーカ１２、及び発注者１１間のＣＩＭ−ＰＤＦ８の受け渡しは、電子メールなどインターネット経由で行ってもよい。また、運営会社１３は、ＣＩＭ管理ソフト５を橋梁メーカ１２に有償で提供するようにしてもよい。この場合、橋梁メーカ１２において、コンピュータ２５にＣＩＭ管理ソフト５をインストールして、ＣＩＭ−ＰＤＦ８が作成される。
【符号の説明】
【００５４】
１    ＣＩＭ管理システム
２    文書閲覧ソフト
３    ３次元ＣＡＤソフト
４    属性管理ソフト
５    ＣＩＭ管理ソフト（施工体３次元モデル管理プログラム）
７    ＣＩＭ原ファイル
８    ＣＩＭ−ＰＤＦ
８ａ    ３ＤＰＤＦデータ
８ｂ    編集機能プログラム
８ｃ    アクセス機能プログラム
９    専用テンプレート（ＣＩＭ−ＰＤＦテンプレート）
１１    発注者
１２    橋梁メーカ
１３    運営会社
１５  橋梁メーカの設計事務所
１６  橋梁メーカの施工事務所
１９    サポートサイト
２１、２３、２５、２６    コンピュータ
３０  専用テンプレート画面
３１    ＣＩＭモデル表示領域
３２    専用メニュー
３３    サポートサイトのＵＲＬ表記
５０    文書閲覧ソフトの表示画面
６０    属性管理ソフトの表示画面
８１    ３次元モデル
８１ａ、８１ｂ、８１    ３次元モデルの部材
８２、８２ａ〜８２ｉ    属性情報
９０    外部参照ファイル表示画面
９６    ファイル選択画面
９７ａ、９７ｂ、９７ｃ    ＣＳＶファイル
【図１】
2018067163.tif 000003
【図２】
2018067163.tif 000004
【図３】
2018067163.tif 000005
【図４】
2018067163.tif 000006
【図５】
2018067163.tif 000007
【図６】
2018067163.tif 000008
【図７】
2018067163.tif 000009
【図８】
2018067163.tif 000010
【図９】
2018067163.tif 000011
【図１０】
2018067163.tif 000012
【図１１】
2018067163.tif 000013
【図１２】
2018067163.tif 000014